(57)【要約】      （修正有）【課題】アップリンク制御情報の伝送方法及びシステムを提供する。【解決手段】送信する必要があるアップリンク制御情報及び１つや２つの伝送ブロックに対応するデータ情報をそれぞれ符号化し、ターゲット長さに応じて符号化された後のシーケンスを取得し、そして変調方式に応じて、符号化された後のシーケンスから、対応する符号化変調シーケンスを構成するステップ４０１と、取得された符号化変調シーケンスをインタリーブして物理アップリンク共有チャネル（ＰＵＳＣＨ）に対応する層で伝送するステップ４０２とを含む。さらに、アップリンク制御情報がＰＵＳＣＨで伝送される場合に各層での必要な符号化されたシンボル数を決定することを含む。【選択図】図４
2014180038.tif 000002
【特許請求の範囲】
【請求項１】
アップリンク制御情報がＰＵＳＣＨで伝送される場合に各層での必要な符号化されたシンボル数を決定する方法であって、当該方法は、
以下の公式により各層での必要な符号化されたシンボル数
【数１】
2014180038.tif 000652
を決定し、即ち
【数２】
2014180038.tif 000653
の値が
【数３】
2014180038.tif 000654
と
【数４】
2014180038.tif 000655
のうちの最大値であり、ここで、前記
【数５】
2014180038.tif 000656
又は
【数６】
2014180038.tif 000657
又は
【数７】
2014180038.tif 000658
となり、
【数８】
2014180038.tif 000659
が切り上げを示し、ここで、
【数９】
2014180038.tif 000660
がアップリンク制御情報に対応するオフセットであり、当該値が上位層シグナリングにより設定されることを特徴とするアップリンク制御情報がＰＵＳＣＨで伝送される場合に各層での必要な符号化されたシンボル数を決定することを含む。
【請求項２】
前記αの値が以下のいずれか１つであり、
αの値が上位層により設定され、又は、
【数１０】
2014180038.tif 000661
となり、ここで、ｐ、ｑ、ｍの値が基地局とＵＥとによって定められた正数であり、又は、
αの値が
【数１１】
2014180038.tif 000662
の値により取得され、又は
【数１２】
2014180038.tif 000663
となり、又は、
【数１３】
2014180038.tif 000664
となり、ここで、ｃの値が上位層により設定され又は基地局とＵＥとによって定められた正数であり、
【数１４】
2014180038.tif 000665
の値が基地局とＵＥに定められた、０ではない正数であり又は伝送ブロックに対応する変調次数であることを特徴とする
請求項１に記載のアップリンク制御情報がＰＵＳＣＨで伝送される場合に各層での必要な符号化されたシンボル数を決定する方法。
【請求項３】
伝送ブロックが１つだけである場合、
【数１５】
2014180038.tif 000666
の値が前記伝送ブロックに対応する変調次数であり、伝送ブロックが２つである場合、
【数１６】
2014180038.tif 000667
の値が２つの伝送ブロックに対応する変調次数のうちの最小値又は２つの伝送ブロック変調次数の平均値であることを特徴とする
請求項２に記載のアップリンク制御情報がＰＵＳＣＨで伝送される場合に各層での必要な符号化されたシンボル数を決定する方法。
【請求項４】
前記
【数１７】
2014180038.tif 000668
の値が以下の方式のいずれか１つであり
【数１８】
2014180038.tif 000669
となり、又は、
【数１９】
2014180038.tif 000670
となり、又は、
【数２０】
2014180038.tif 000671
となり、又は、
【数２１】
2014180038.tif 000672
となり、
ここで、
【数２２】
2014180038.tif 000673
が、単一ダウンリンクセルのランクが１である場合、ＣＲＣ検査後のＣＱＩ／ＰＭＩ情報ビット数を示し、
【数２３】
2014180038.tif 000674
が送信待ちのアップリンク制御情報のビット数を示し、
【数２４】
2014180038.tif 000675
が初期ＰＵＳＣＨ伝送において復調参照信号（ＤＭＲＳ）と測定参照信号（ＳＲＳ）とを除く他に用いられるシンボルの数を示し、
【数２５】
2014180038.tif 000676
が初期ＰＵＳＣＨ伝送時の帯域幅を示し、副搬送波の数で示され、
【数２６】
2014180038.tif 000677
が、現在のサブフレームのＰＵＳＣＨ伝送に用いられる帯域幅を示し、副搬送波の数で示され、
【数２７】
2014180038.tif 000678
が、ＣＲＣとコードブロック分割を行った後の伝送ブロックｉに対応するコードブロックの数を示し、
【数２８】
2014180038.tif 000679
が伝送ブロックｉの各コードブロックに対応するビット数を示し、ｉの値が１又は２であり、
【数２９】
2014180038.tif 000680
が
【数３０】
2014180038.tif 000681
又は
【数３１】
2014180038.tif 000682
を示し、当該値が上位層により設定されることを特徴とする
請求項２に記載のアップリンク制御情報がＰＵＳＣＨで伝送される場合に各層での必要な符号化されたシンボル数を決定する方法。
【請求項５】
前記アップリンク制御情報がＡＣＫ／ＮＡＣＫ応答情報、ＲＩ情報のうちの１種以上であることを特徴とする
請求項１〜４のいずれか１項に記載のアップリンク制御情報がＰＵＳＣＨで伝送される場合に各層での必要な符号化されたシンボル数を決定する方法。
【請求項６】
アップリンク制御情報がＰＵＳＣＨで伝送される場合に各層での必要な符号化されたシンボル数を決定する装置であって、当該装置は、
以下の公式により各層での必要な符号化されたシンボル数
【数３２】
2014180038.tif 000683
を決定することに用いられ、即ち
【数３３】
2014180038.tif 000684
の値が
【数３４】
2014180038.tif 000685
と
【数３５】
2014180038.tif 000686
のうちの最大値である符号化されたシンボル数決定モジュールと、
前記
【数３６】
2014180038.tif 000687
又は
【数３７】
2014180038.tif 000688
又は
【数３８】
2014180038.tif 000689
を決定することに用いられ、
【数３９】
2014180038.tif 000690
が切り上げを示し、ここで、
【数４０】
2014180038.tif 000691
がアップリンク制御情報に対応するオフセットであり、当該値が上位層シグナリングにより設定されるパラメータ決定モジュールとを含むことを特徴とするアップリンク制御情報がＰＵＳＣＨで伝送される場合に各層での必要な符号化されたシンボル数を決定する装置。
【発明の詳細な説明】
【技術分野】
【０００１】
本発明は、デジタル通信技術分野に関し、特に、アップリンク制御情報の伝送方法及びシステム、及びＰＵＳＣＨで伝送される場合に各層での必要な符号化されたシンボル数を決定する方法及び装置に関する。
【背景技術】
【０００２】
現在、ロング・ターム・エボリューション（ＬＴＥ：Ｌｏｎｇ  Ｔｅｒｍ  Ｅｖｏｌｕｔｉｏｎ）システムでは、アップリンク伝送に必要な制御シグナリングには肯定／否定（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）応答情報、及びダウンリンク物理チャネル状態を示す情報（ＣＳＩ：Ｃｈａｎｎｅｌ  Ｓｔａｔｅ  Ｉｎｆｏｒｍａｔｉｏｎ）の３種の形式、即ち、チャネル品質指示子（ＣＱＩ：Ｃｈａｎｎｅｌｓ  Ｑｕａｌｉｔｙ  Ｉｎｄｉｃａｔｉｏｎ）、プリコーディングマトリクス指示子（ＰＭＩ：Ｐｒｅ−ｃｏｄｉｎｇ  Ｍａｔｒｉｘ  Ｉｎｄｉｃａｔｏｒ）、ランク指示子（ＲＩ：Ｒａｎｋ  Ｉｎｄｉｃａｔｏｒ）がある。
【０００３】
ＬＴＥシステムでは、ＡＣＫ／ＮＡＣＫ応答情報が物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）でフォーマット１／１ａ／１ｂ（ＰＵＣＣＨ  ｆｏｒｍａｔ  １／１ａ１／ｂ）にて伝送され、端末（ＵＥ：Ｕｓｅｒ  Ｅｑｕｉｐｍｅｎｔ）がアップリンクデータを送信する必要がある場合、物理アップリンク共有チャネル（ＰＵＳＣＨ：Ｐｈｙｓｉｃａｌ  Ｕｐｌｉｎｋ
Ｓｈａｒｅｄ  Ｃｈａｎｎｅｌ）で伝送し、ＣＱＩ／ＰＭＩ、ＲＩが周期的に、非周期的にもフィードバックされてよく、具体的に、表１に示すようにフィードバックされる。
【表１】
2014180038.tif 000003
【０００４】
ここで、周期的にフィードバックされたＣＱＩ／ＰＭＩ、ＲＩについては、ＵＥがアップリンクデータを送信する必要がない場合、周期的にフィードバックされたＣＱＩ／ＰＭＩ、ＲＩがＰＵＣＣＨでフォーマット２／２ａ／２ｂ（ＰＵＣＣＨ  ｆｏｒｍａｔ  ２／２ａ／２ｂ）にて伝送され、ＵＥがアップリンクデータを送信する必要がある場合、ＣＱＩ／ＰＭＩ、ＲＩがＰＵＳＣＨで伝送される。非周期的にフィードバックされたＣＱＩ／ＰＭＩ、ＲＩについては、ＰＵＳＣＨのみで伝送される。
【０００５】
図１はＬＴＥシステムにおけるアップリンク制御情報とアップリンクデータの多重方式を示す模式図であり、図２はＬＴＥシステムにおけるＰＵＳＣＨ伝送プロセスを示す模式図である。図１では、シャドー部分（縦線部分）がＣＱＩ／ＰＭＩ情報を示し、シャドー部分（左下がり斜線部分）がＲＩ情報を示し、シャドー部分（右下がり斜線部分）がＡＣＫ／ＮＡＣＫ応答情報を示し、白抜き部分がデータを示す。アップリンクデータが伝送ブロック（ＴＢ：Ｔｒａｎｓｐｏｒｔ  Ｂｌｏｃｋ）の形式で伝送され、ＴＢが巡回冗長検査付加（ＣＲＣ  ａｔｔａｃｈｍｅｎｔ）、コードブロック分割（Ｃｏｄｅ  ｂｌｏｃｋ
ｓｅｇｍｅｎｔａｔｉｏｎ）とサブブロックＣＲＣ付加（Ｃｏｄｅ  ｂｌｏｃｋ  ＣＲＣ  ａｔｔａｃｈｍｅｎｔ）、チャネル符号化（Ｃｈａｎｎｅｌ  ｃｏｄｉｎｇ）、レートマッチング（Ｒａｔｅ  ｍａｔｃｈｉｎｇ）、コードブロック連結（Ｃｏｄｅ  ｂｌｏｃｋ  ｃｏｎｃａｔｅｎａｔｉｏｎ）と符号化を経て、ＣＱＩ／ＰＭＩ情報とアップリンクデータと制御シグナルの多重を行い、最後に、チャネルインタリーブを介して符号化された後のＡＣＫ／ＮＡＣＫ応答情報、ＲＩ情報及びデータを一緒に多重化する。
【０００６】
ここで、アップリンク制御情報の符号化プロセスは、以下のプロセスを含む。
【０００７】
まず、公式
【数１】
2014180038.tif 000004
により必要な符号化されたシンボル数
【数２】
2014180038.tif 000005
【数３】
2014180038.tif 000006
を算出し、
【数４】
2014180038.tif 000007
により必要な符号化されたシンボル数
【数５】
2014180038.tif 000008
を算出する。ここで、
【数６】
2014180038.tif 000009
が送信待ちのアップリンク制御情報のビット数を示し、
【数７】
2014180038.tif 000010
が、現在のサブフレームのＰＵＳＣＨ伝送に用いられる帯域幅を示し、副搬送波の数で示され、
【数８】
2014180038.tif 000011
が初期ＰＵＳＣＨ伝送において復調参照信号（ＤＭＲＳ：Ｄｅｍｏｄｕｌａｔｉｏｎ  Ｒｅｆｅｒｅｎｃｅ  Ｓｉｇｎａｌ）及び測定参照信号（ＳＲＳ：Ｓｏｕｎｄｉｎｇ  Ｒｅｆｅｒｅｎｃｅ  Ｓｉｇｎａｌ）を除く他に用いられるシンボルの数を示し、
【数９】
2014180038.tif 000012
が初期ＰＵＳＣＨ伝送時の帯域幅を示し、副搬送波の数で示され、
【数１０】
2014180038.tif 000013
が、当該伝送ブロックがＣＲＣとコードブロック分割を経てた対応するコードブロックの数を示し、
【数１１】
2014180038.tif 000014
が当該伝送ブロックの各々に対応するビット数を示す。同一の伝送ブロックについては、
【数１２】
2014180038.tif 000015
【数１３】
2014180038.tif 000016
【数１４】
2014180038.tif 000017
が初期のＰＤＣＣＨから取得され、初期のＤＣＩフォーマット０のＰＤＣＣＨがない場合、
【数１５】
2014180038.tif 000018
【数１６】
2014180038.tif 000019
及び
【数１７】
2014180038.tif 000020
が以下の２種の方式により取得されてよく、（１）初期のＰＵＳＣＨが準静的スケジューリングを使用する場合、最後の準静的スケジューリングによって設定されたＰＤＣＣＨから取得され、（２）ＰＵＳＣＨがランダムアクセス応答許可によりトリガーされる場合、同一の伝送ブロックに対応するランダムアクセス応答許可から取得する。
【数１８】
2014180038.tif 000021
が
【数１９】
2014180038.tif 000022
又は
【数２０】
2014180038.tif 000023
又は
【数２１】
2014180038.tif 000024
を示し、当該値が上位層により設定される。
【数２２】
2014180038.tif 000025
は、ＣＱＩ／ＰＭＩ情報がＣＲＣ検査を行われたビットの数であり、
【数２３】
2014180038.tif 000026
が１１より大きい場合、
【数２４】
2014180038.tif 000027
となり、そうでなければ、
【数２５】
2014180038.tif 000028
となる。
【０００８】
その後、チャネル符号化を行い、ＡＣＫ／ＮＡＣＫとＲＩの符号化方式が同じであり、ＡＣＫ／ＮＡＣＫ応答情報又はＲＩ情報が１ビットであり、変調方式が直交位相シフトキーイング（ＱＰＳＫ：Ｑｕａｄｒａｔｕｒｅ  Ｐｈａｓｅ  Ｓｈｉｆｔ  Ｋｅｙｉｎｇ）である場合、符号化された後の情報が
【数２６】
2014180038.tif 000029
であり、変調方式が１６進法の直交振幅変調（１６ＱＡＭ：Ｑｕａｄｒａｔｕｒｅ  Ａｍｐｌｉｔｕｄｅ  Ｍｏｄｕｌａｔｉｏｎ）である場合、符号化された後の情報が
【数２７】
2014180038.tif 000030
であり、変調方式が６４ＱＡＭである場合、符号化された後の情報が
【数２８】
2014180038.tif 000031
であり、ここで、
【数２９】
2014180038.tif 000032
がＡＣＫ／ＮＡＣＫ応答情報又はＲＩ情報を示し、ｘ、ｙが、スクランブルする場合に変調シンボルを最大化することに用いられるユークリッド距離のプレースホルダーを示す。
ＡＣＫ／ＮＡＣＫ応答情報又はＲＩ情報が２ビットである場合、変調方式がＱＰＳＫである場合、符号化された後の情報が
【数３０】
2014180038.tif 000033
であり、変調方式が１６ＱＡＭである場合、符号化された後の情報が
【数３１】
2014180038.tif 000034
であり、変調方式が６４ＱＡＭである場合、符号化された後の情報が
【数３２】
2014180038.tif 000035
であり、ここで、
【数３３】
2014180038.tif 000036
が２ビットのＡＣＫ／ＮＡＣＫ応答情報又はＲＩ情報を示し、
【数３４】
2014180038.tif 000037
となり、ｘがスクランブルする場合に変調シンボルを最大化することに用いられるユークリッド距離のプレースホルダーを示す。ＬＴＥシステムにはＡＣＫ／ＮＡＣＫ応答情報の数が２ビットより大きく、１１ビットより小さい場合があるため、ＡＣＫ／ＮＡＣＫ応答情報が２ビットより大きく、１１ビットより小さい場合、ＲＭ（３２，Ｏ）の符号化方式で符号化を行い、ＣＱＩ／ＰＭＩのビット数が１１ビット以下である場合、ＣＱＩ／ＰＭＩがＲＭ（３２，Ｏ）の符号化方式で符号化を行い、そうでなければ、まずＣＲＣ付加を行い、そして図３に示すような長さが７、符号化率が１／３のテイルバイティング畳み込み符号の符号化方式で符号化を行い、最後に、ターゲット長さ
【数３５】
2014180038.tif 000038
を満たしたまでＡＣＫ／ＮＡＣＫ応答情報、ＲＩ情報、ＣＱＩ／ＰＭＩ情報の符号化された後のビットを繰り返し、符号化された後の情報ビットがそれぞれ
【数３６】
2014180038.tif 000039
【数３７】
2014180038.tif 000040
【数３８】
2014180038.tif 000041
と記され、変調次数に応じて、対応する符号化変調シーケンス
【数３９】
2014180038.tif 000042
と
【数４０】
2014180038.tif 000043
を生成する。
【０００９】
ここで、アップリンクデータと制御シグナルの多重化は、符号化された後のＣＱＩ／ＰＭＩ情報とデータを変調シンボルの形式でカスケード接続するものであり、
【数４１】
2014180038.tif 000044
と記される。
【００１０】
チャネルインタリーブのプロセスは、所定の順序に従って符号化変調シーケンス
【数４２】
2014180038.tif 000045
【数４３】
2014180038.tif 000046
及びデータと制御を多重化した
【数４４】
2014180038.tif 000047
を、１つの仮想マトリックスに書き込み、そして仮想マトリックスの第１行から仮想マトリックスを行数増加の順序に従って逐次的に読み出し、これで後続の変調シンボルから物理リソースマッピングまでのプロセスでＡＣＫ／ＮＡＣＫ、ＲＩ、ＣＱＩ／ＰＭＩ及びデータがそれぞれ図１に示すような位置にマッピングされることを保証する。チャネルインタリーブの具体的なプロセスは、下記の通りである。まず１つの仮想マトリクスを生成し、仮想マトリックスの大きさがＰＵＳＣＨのリソース割り当てに関わり、まず仮想マトリックスの最後の１行から
【数４５】
2014180038.tif 000048
を、行数増加の順序に従って仮想マトリックスの所定位置に逐次的に書き込み、そして仮想マトリックスの第１行から
【数４６】
2014180038.tif 000049
を、行数増加の順序に従って仮想マトリックスに逐次的に書き込み、ここで、既にＲＩ情報ロジックユニットが書き込まれた位置を飛ばし、最後に、仮想マトリックスの最後１行から
【数４７】
2014180038.tif 000050
を行数増加の順序に従って仮想マトリックスの所定位置に逐次的に書き込む。ここで、ＲＩ情報とＡＣＫ／ＮＡＣＫ応答情報の所定位置がそれぞれ表２と表３に示され、表２にＲＩ情報が書き込まれた列組合せを示し、表３にＡＣＫ／ＮＡＣＫ応答情報が書き込まれた列組合せを示す。
【表２】
2014180038.tif 000051
【表３】
2014180038.tif 000052
【００１１】
先進国際移動通信（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）システムでは、データの高速伝送を実現でき、且つ大きいシステム容量を持つため、低速移動し、ホットスポットをカバーした場合、ＩＭＴ−Ａｄｖａｎｃｅｄシステムのピーク速度が１Ｇｂｉｔ／ｓに達することができ、高速移動し、広域でカバーした場合、ＩＭＴ−Ａｄｖａｎｃｅｄシステムのピーク速度が１００Ｍｂｉｔ／ｓに達することができる。
【００１２】
先進国際電気通信連合（ＩＴＵ−Ａｄｖａｎｃｅｄ：Ｉｎｔｅｒｎａｔｉｏｎａｌ  Ｔｅｌｅｃｏｍｍｕｎｉｃａｔｉｏｎ  Ｕｎｉｏｎ−Ａｄｖａｎｃｅｄ）の要求を満たすために、ＬＴＥの発展標準とするロング・ターム・エボリューション・アドバンスド（ＬＴＥ−Ａ：Ｌｏｎｇ  Ｔｅｒｍ  Ｅｖｏｌｕｔｉｏｎ  Ａｄｖａｎｃｅｄ）システムがより大きいシステム帯域幅（最高１００ＭＨｚまで）をサポートする必要がある。従来のＬＴＥシステムに基づき、ＬＴＥシステムの帯域幅を合併してより大きい帯域幅を取得し、このような技術がキャリアアグリゲーション（ＣＡ：Ｃａｒｒｉｅｒ  Ａｇｇｒｅｇａｔｉｏｎ）技術と称され、当該技術により、ＩＭＴ−Ａｄｖａｎｃｅシステムの周波数スペクトル利用率を向上して、周波数スペクトルリソースの不足を緩和し、更に周波数スペクトルリソースの利用を最適化することができる。その上、ＬＴＥ−Ａシステムでは、ダウンリンクの伝送容量をサポートするために、８層の伝送方式をサポートする。ＬＴＥ−Ａシステムでは、アップリンクにおけるより大きい伝送速度をサポートするため、ＰＵＳＣＨの伝送が空間多重の形式をサポートし、空間多重形式を利用して伝送するＰＵＳＣＨにとって、関連技術によって示されたコードワードストリームから層までのマッピング関係では、ＬＴＥダウンリンク伝送の場合にコードワードフローから層までのマッピングが同じであり、つまり、ＰＵＳＣＨで２つの伝送ブロックが対応するトランスポート層で伝送されている。
【００１３】
周波数スペクトル結合技術を用いた後のＬＴＥ−Ａシステムでは、アップリンク帯域幅とダウンリンク帯域幅が複数のコンポーネントキャリアを含んでよい。基地局が複数のダウンリンクコンポーネントキャリア上であるＵＥにスケジューリングされるＰＤＳＣＨを持ち、且つＵＥが現在のサブフレームをＰＵＳＣＨで送信する場合に、端末がＰＵＳＣＨで、これらの複数のダウンリンクコンポーネントキャリアの、ＰＤＳＣＨで伝送されたＡＣＫ／ＮＡＣＫ応答情報又はＲＩ情報をフィードバックする必要がある。キャリアアグリゲーションの場合に応じて、時分割複信（ＴＤＤ：Ｔｉｍｅ  Ｄｉｖｉｓｉｏｎ  Ｄｕｐｌｅｘｉｎｇ）システムで、従来の技術におけるアップリンク／ダウンリンクサブフレーム設定をそのまま利用すると、最大４０ビットのＡＣＫ／ＮＡＣＫ応答情報をフィードバックする必要があり、各搬送波に対応するコードワードに対してバインド操作を行うと、２０ビットのＡＣＫ／ＮＡＣＫ応答情報をフィードバックする必要がある。しかしながら、従来の技術には、１１ビットより大きい場合に応答情報がＰＵＳＣＨで伝送される方法が提供されなく、２ビットより大きく、１１ビット以下の場合に応答情報がＰＵＳＣＨで伝送される方法のみが提供された。ＲＩ情報にとって、ダウンリンクが８層の伝送をサポートするため、フィードバックされたＲＩ情報が２ビットより大きくなり、キャリアアグリゲーション技術の引入により、フィードバックされたＲＩ情報が１１ビットより大きくなる可能性がある。しかしながら、従来の技術には、ＲＩ情報が１１ビットより大きい場合のＰＵＳＣＨでの伝送方法が提供されなく、ＲＩ情報が２ビットより大きく、１１ビット以下の場合の伝送方法のみが提供された。
【００１４】
また、アップリンクにおける複数の伝送ブロック／コードワードストリームの場合では、従来の技術にはＣＱＩ／ＰＭＩ情報が符号化変調インデックス（ＭＣＳ：Ｍｏｄｕｌａｔｉｏｎ  ａｎｄ  Ｃｏｄｉｎｇ  Ｓｃｈｅｍｅ）における高いコードワードストリームで伝送され、ＡＣＫ／ＮＡＣＫ応答情報とＲＩ情報がすべての層で繰り返して伝送されることが規定され、同様に、ＡＣＫ／ＮＡＣＫ応答情報とＲＩ情報が空間多重のＰＵＳＣＨで伝送される場合に各層での必要な符号化されたシンボル数を計算する数式
【数４８】
2014180038.tif 000053
が提供された。ここで、
【数４９】
2014180038.tif 000054
となる。しかしながら、従来の技術において
【数５０】
2014180038.tif 000055
の値が提供されなく、それによってアップリンク制御情報がＰＵＳＣＨで伝送される場合に各層での必要な符号化されたシンボル数を取得できない。
【発明の概要】
【発明が解決しようとする課題】
【００１５】
これを鑑みて、本発明の主な目的は、高位ビットのアップリンク制御情報がＰＵＳＣＨで伝送される問題、及びアップリンク制御情報がＰＵＳＣＨで伝送される場合に各層での必要なリソースの数を決定できない問題を解決するように、アップリンク制御情報の伝送方法及びシステム、並びにＰＵＳＣＨで伝送される場合に各層での必要な符号化されたシンボル数を決定する方法及び装置を提供することにある。
【課題を解決するための手段】
【００１６】
上記の目的を達成するために、本発明の技術案は、下記のように実現される。
【００１７】
本発明に係るアップリンク制御情報の伝送方法は、
送信する必要があるアップリンク制御情報及び１つや２つの伝送ブロックに対応するデータ情報をそれぞれ符号化し、ターゲット長さに応じて符号化された後のシーケンスを取得し、そして変調方式に応じて、符号化された後のシーケンスから、対応する符号化変調シーケンスを構成するステップと、
取得された符号化変調シーケンスをインタリーブして物理アップリンク共有チャネル（ＰＵＳＣＨ）に対応する層で伝送するステップとを含む。
【００１８】
前記送信する必要があるアップリンク制御情報を符号化し、ターゲット長さに応じて符号化された後のシーケンスを取得し、そして変調方式に応じて、符号化された後のシーケンスから、対応する符号化変調シーケンスを構成するステップは、具体的には、
送信する必要があるアップリンク制御情報
【数５１】
2014180038.tif 000056
を２つの部分即ち
【数５２】
2014180038.tif 000057
と
【数５３】
2014180038.tif 000058
に分け、ここで、Ｎがアップリンク制御情報のビット数を示し、且つＮ＞１１となり、
前記アップリンク制御情報を送信することに必要な符号化されたシンボル数
【数５４】
2014180038.tif 000059
【数５５】
2014180038.tif 000060
を決定し、
線形ブロック符号を用いて
【数５６】
2014180038.tif 000061
と
【数５７】
2014180038.tif 000062
をそれぞれ符号化し、符号化された後のターゲット長さ
【数５８】
2014180038.tif 000063
【数５９】
2014180038.tif 000064
伝送ブロックに対応する変調次数
【数６０】
2014180038.tif 000065
伝送ブロックに対応するトランスポート層の数Ｌに応じて、前記アップリンク制御情報に対応する符号化変調シーケンスを取得する。
【００１９】
前記アップリンク制御情報を送信することに必要な符号化されたシンボル数
【数６１】
2014180038.tif 000066
【数６２】
2014180038.tif 000067
を決定するステップは、具体的には、
【数６３】
2014180038.tif 000068
に対応するビット数
【数６４】
2014180038.tif 000069
及び
【数６５】
2014180038.tif 000070
に対応するビット数
【数６６】
2014180038.tif 000071
に応じて、各層での必要な符号化されたシンボル数
【数６７】
2014180038.tif 000072
【数６８】
2014180038.tif 000073
を算出する。
【００２０】
前記アップリンク制御情報を送信することに必要な符号化されたシンボル数
【数６９】
2014180038.tif 000074
【数７０】
2014180038.tif 000075
を決定するステップは、具体的には、
【数７１】
2014180038.tif 000076
に対応するビット数Ｎが偶数である場合、Ｎに応じて必要な符号化されたシンボル数
【数７２】
2014180038.tif 000077
を算出し、対応するビット数Ｎが奇数である場合、
【数７３】
2014180038.tif 000078
に応じて必要な符号化されたシンボル数
【数７４】
2014180038.tif 000079
を算出し、よって、
【数７５】
2014180038.tif 000080
を送信することに各層での必要な符号化されたシンボル数
【数７６】
2014180038.tif 000081
となり、
【数７７】
2014180038.tif 000082
を送信することに必要な符号化されたシンボル数
【数７８】
2014180038.tif 000083
となる。
前記符号化された後のターゲット長さ
【数７９】
2014180038.tif 000084
伝送ブロックに対応する変調次数
【数８０】
2014180038.tif 000085
伝送ブロックに対応するトランスポート層の数Ｌに応じて、前記アップリンク制御情報に対応する符号化変調シーケンスを取得するステップは、具体的には、
符号化された後のターゲット長さ
【数８１】
2014180038.tif 000086
【数８２】
2014180038.tif 000087
に応じて、
【数８３】
2014180038.tif 000088
と
【数８４】
2014180038.tif 000089
にそれぞれ対応する符号化された後のシーケンス
【数８５】
2014180038.tif 000090
と
【数８６】
2014180038.tif 000091
を取得し、前記伝送ブロックの伝送する時に対応するトランスポート層の数Ｌ＝１となる場合、
【数８７】
2014180038.tif 000092
と
【数８８】
2014180038.tif 000093
をカスケード接続して
【数８９】
2014180038.tif 000094
を取得し、そして変調次数
【数９０】
2014180038.tif 000095
に応じて符号化変調シーケンス
【数９１】
2014180038.tif 000096
を構成し、
前記伝送ブロックの伝送する時に対応するトランスポート層の数Ｌ＝２となる場合、
【数９２】
2014180038.tif 000097
と
【数９３】
2014180038.tif 000098
をカスケード接続して
【数９４】
2014180038.tif 000099
を取得し、
【数９５】
2014180038.tif 000100
を繰り返して、変調次数
【数９６】
2014180038.tif 000101
に応じて符号化変調シーケンス
【数９７】
2014180038.tif 000102
を構成する。
【００２１】
前記符号化された後のターゲット長さ
【数９８】
2014180038.tif 000103
【数９９】
2014180038.tif 000104
伝送ブロックに対応する変調次数
【数１００】
2014180038.tif 000105
伝送ブロックに対応するトランスポート層の数Ｌに応じて、前記アップリンク制御情報に対応する符号化変調シーケンスを取得するステップは、具体的には、
符号化された後のターゲット長さ
【数１０１】
2014180038.tif 000106
【数１０２】
2014180038.tif 000107
に応じて、
【数１０３】
2014180038.tif 000108
と
【数１０４】
2014180038.tif 000109
にそれぞれ対応する符号化された後のシーケンス
【数１０５】
2014180038.tif 000110
と
【数１０６】
2014180038.tif 000111
を取得し、変調次数
【数１０７】
2014180038.tif 000112
に応じて対応する変調シンボルシーケンス
【数１０８】
2014180038.tif 000113
と
【数１０９】
2014180038.tif 000114
を構成し、前記伝送ブロックの伝送する時に対応するトランスポート層の数Ｌ＝１となる場合、
【数１１０】
2014180038.tif 000115
と
【数１１１】
2014180038.tif 000116
をカスケード接続して
【数１１２】
2014180038.tif 000117
を取得し、前記伝送ブロックの伝送する時に対応するトランスポート層の数Ｌ＝２となる場合、
【数１１３】
2014180038.tif 000118
と
【数１１４】
2014180038.tif 000119
をそれぞれ繰り返してカスケード接続して
【数１１５】
2014180038.tif 000120
を取得する。
【００２２】
前記符号化された後のターゲット長さ
【数１１６】
2014180038.tif 000121
【数１１７】
2014180038.tif 000122
伝送ブロックに対応する変調次数
【数１１８】
2014180038.tif 000123
伝送ブロックに対応するトランスポート層の数Ｌに応じて、前記アップリンク制御情報に対応する符号化変調シーケンスを取得するステップは、具体的には、
符号化された後のターゲット長さ
【数１１９】
2014180038.tif 000124
【数１２０】
2014180038.tif 000125
に応じて、
【数１２１】
2014180038.tif 000126
と
【数１２２】
2014180038.tif 000127
にそれぞれ対応する符号化された後のシーケンス
【数１２３】
2014180038.tif 000128
と
【数１２４】
2014180038.tif 000129
を取得し、前記伝送ブロックが伝送される時に対応するトランスポート層の数Ｌ＝１となる場合、
【数１２５】
2014180038.tif 000130
【００２３】
と
【数１２６】
2014180038.tif 000131
から、符号化変調シーケンス
【数１２７】
2014180038.tif 000132
を構成し、前記伝送ブロックの伝送する時に対応するトランスポート層の数Ｌ＝２となる場合、
【数１２８】
2014180038.tif 000133
と
【数１２９】
2014180038.tif 000134
をそれぞれ繰り返して符号化変調シーケンス
【数１３０】
2014180038.tif 000135
を構成する。
【００２４】
前記アップリンク制御情報は、肯定／否定（ＡＣＫ／ＮＡＣＫ）応答情報、ランク指示子（ＲＩ）情報のうちの１種以上である。
【００２５】
前記送信する必要があるアップリンク制御情報を符号化し、ターゲット長さに応じて符号化された後のシーケンスを取得し、そして変調方式に応じて、符号化された後のシーケンスから、対応する符号化変調シーケンスを構成するステップは、具体的には、
送信する必要があるアップリンク制御情報
【数１３１】
2014180038.tif 000136
に必要な符号化されたシンボル数
【数１３２】
2014180038.tif 000137
を算出し、そして長さが７、符号化率が１／３のテイルバイティング畳み込み符号を用いて
【数１３３】
2014180038.tif 000138
を符号化し、又は、まず長さが８の巡回冗長（ＣＲＣ）検査を行って、符号化を行い、ここで、Ｎがアップリンク制御情報のビット数を示し、且つＮ＞１１となり、
ＡＣＫ／ＮＡＣＫ応答情報とＲＩ情報について、前記伝送ブロックの伝送する時に対応するトランスポート層の数Ｌ＝１となる場合、符号化された後のターゲット長さ
【数１３４】
2014180038.tif 000139
に応じて対応する符号化された後のシーケンス
【数１３５】
2014180038.tif 000140
を取得し、対応する変調次数
【数１３６】
2014180038.tif 000141
に応じて対応する符号化変調シーケンス
【数１３７】
2014180038.tif 000142
を取得し、前記伝送ブロックの伝送する時に対応するトランスポート層の数Ｌ＝２となる場合、符号化された後のターゲット長さ
【数１３８】
2014180038.tif 000143
に応じて対応する符号化された後のシーケンス
【数１３９】
2014180038.tif 000144
を取得し、
【数１４０】
2014180038.tif 000145
を繰り返して、対応する変調次数
【数１４１】
2014180038.tif 000146
に応じて対応する符号化変調シーケンス
【数１４２】
2014180038.tif 000147
を取得し、
チャネル品質指示子（ＣＱＩ）／プリコーディングマトリクス指示子（ＰＭＩ）情報について、前記伝送ブロックの伝送する時に対応するトランスポート層の数Ｌ＝１となる場合、符号化された後のターゲット長さ
【数１４３】
2014180038.tif 000148
に応じて対応する符号化された後のシーケンス
【数１４４】
2014180038.tif 000149
を取得し、位置する伝送ブロックにおいてデータ情報が送信されない場合、対応する変調次数
【数１４５】
2014180038.tif 000150
に応じて対応する符号化変調シーケンス
【数１４６】
2014180038.tif 000151
を取得し、前記伝送ブロックの伝送する時に対応するトランスポート層の数Ｌ＝２となる場合、符号化された後のターゲット長さ
【数１４７】
2014180038.tif 000152
に応じて対応する符号化された後のシーケンス
【数１４８】
2014180038.tif 000153
を取得し、それが存在する伝送ブロックでデータ情報が伝送された場合、対応する変調次数
【数１４９】
2014180038.tif 000154
に応じて対応する符号化変調シーケンス
【数１５０】
2014180038.tif 000155
を取得する。
【００２６】
前記１つや２つの伝送ブロックに対応するデータ情報を符号化し、ターゲット長さに応じて符号化された後のシーケンスを取得し、そして変調方式に応じて符号化された後のシーケンスから、対応する符号化変調シーケンスを構成するステップは、具体的には、
伝送する必要がある伝送ブロックに対応するデータ情報に対して、ブロック長さが２４のＣＲＣ検査、コードブロック分割とサブブロック長さが２４のＣＲＣ検査を行い、符号化率が１／３のＴｕｒｂｏ符号化を用いてチャネル符号化を行い、レートマッチングを行い、対応する帯域幅、シンボルの数、前記伝送ブロックにおけるＣＱＩ／ＰＭＩ情報のターゲット長さ、前記伝送ブロックにおける同時に伝送する必要があるＲＩ情報のターゲット長さに応じて、前記伝送ブロックのターゲット長さＧを算出して取得し、そして対応する符号化された後の情報
【数１５１】
2014180038.tif 000156
を取得し、
前記伝送ブロックにおいて、さらにＣＱＩ／ＰＭＩ情報を伝送する必要がある場合、前記伝送ブロックの符号化された後のデータ情報
【数１５２】
2014180038.tif 000157
と符号化された後のＣＱＩ／ＰＭＩ情報
【数１５３】
2014180038.tif 000158
をカスケード接続し、前記伝送ブロックの変調次数、伝送ブロックに対応するトランスポート層の数に応じて対応するデータ／制御符号化変調シーケンス
【数１５４】
2014180038.tif 000159
を構成し、ここで、
【数１５５】
2014180038.tif 000160
となり、対応するデータ／制御符号化変調シーケンスの長さが
【数１５６】
2014180038.tif 000161
であり、
前記伝送ブロックにおいてＣＱＩ／ＰＭＩ情報を伝送する必要がない場合、前記伝送ブロックの符号化された後のデータ情報
【数１５７】
2014180038.tif 000162
から、変調次数、伝送ブロックに対応するトランスポート層の数に応じて対応するデータ符号化変調シーケンス
【数１５８】
2014180038.tif 000163
を構成し、ここで、
【数１５９】
2014180038.tif 000164
となり、対応する制御符号化変調シーケンスの長さが
【数１６０】
2014180038.tif 000165
である。
【００２７】
本発明に係るアップリンク制御情報がＰＵＳＣＨで伝送される場合に各層での必要な符号化されたシンボル数を決定する方法は、
以下の公式により各層での必要な符号化されたシンボル数
【数１６１】
2014180038.tif 000166
を決定し、即ち
【数１６２】
2014180038.tif 000167
の値が
【数１６３】
2014180038.tif 000168
と
【数１６４】
2014180038.tif 000169
のうちの最大値であり、ここで、前記
【数１６５】
2014180038.tif 000170
又は
【数１６６】
2014180038.tif 000171
又は
【数１６７】
2014180038.tif 000172
となり、
【数１６８】
2014180038.tif 000173
が切り上げを示し、ここで、
【数１６９】
2014180038.tif 000174
がアップリンク制御情報に対応するオフセットであり、当該値が上位層シグナリングにより設定される。
【００２８】
前記αの値が以下のいずれか１つであり、
αの値が上位層により設定され、又は、
【数１７０】
2014180038.tif 000175
となり、ここで、ｐ、ｑ、ｍの値が基地局とＵＥとによって定められた正数であり、又は、
αの値が
【数１７１】
2014180038.tif 000176
の値に基づいて取得され、又は
【数１７２】
2014180038.tif 000177
となり、又は、
【数１７３】
2014180038.tif 000178
となり、ここで、ｃの値が上位層により設定され又は基地局とＵＥとによって定められた正数であり、
【数１７４】
2014180038.tif 000179
の値が基地局とＵＥに定められた、０ではない正数であり又は伝送ブロックに対応する変調次数である。
【００２９】
伝送ブロックが１つだけである場合、
【数１７５】
2014180038.tif 000180
の値が前記伝送ブロックに対応する変調次数であり、伝送ブロックが２つである場合、
【数１７６】
2014180038.tif 000181
の値が２つの伝送ブロックに対応する変調次数のうちの最小値又は２つの伝送ブロック変調次数の平均値である。
【００３０】
前記
【数１７７】
2014180038.tif 000182
の値が以下の方式のいずれか１つにより取得される。
【数１７８】
2014180038.tif 000183
となり、又は、
【数１７９】
2014180038.tif 000184
となり、又は、
【数１８０】
2014180038.tif 000185
となり、又は、
【数１８１】
2014180038.tif 000186
となる。
【００３１】
ここで、
【数１８２】
2014180038.tif 000187
が、単一ダウンリンクセルのランクが１である場合、ＣＲＣ検査後のＣＱＩ／ＰＭＩ情報ビット数を示し、
【数１８３】
2014180038.tif 000188
が送信待ちのアップリンク制御情報のビット数を示し、
【数１８４】
2014180038.tif 000189
が初期ＰＵＳＣＨ伝送において復調参照信号（ＤＭＲＳ）と測定参照信号（ＳＲＳ）とを除く他に用いられるシンボルの数を示し、
【数１８５】
2014180038.tif 000190
が初期ＰＵＳＣＨ伝送時の帯域幅を示し、副搬送波の数で示され、
【数１８６】
2014180038.tif 000191
が現在のサブフレームのＰＵＳＣＨ伝送に用いられる帯域幅を示し、副搬送波の数で示され、
【数１８７】
2014180038.tif 000192
が、ＣＲＣとコードブロック分割を行った後の伝送ブロックｉに対応するコードブロックの数を示し、
【数１８８】
2014180038.tif 000193
が伝送ブロックｉの各コードブロックに対応するビット数を示し、ｉの値が１又は２であり、
【数１８９】
2014180038.tif 000194
が
【数１９０】
2014180038.tif 000195
又は
【数１９１】
2014180038.tif 000196
を示し、当該値が上位層により設定される。
【００３２】
前記アップリンク制御情報がＡＣＫ／ＮＡＣＫ応答情報、ＲＩ情報のうちの１種以上である。
【００３３】
本発明に係るアップリンク制御情報の伝送システムは、
送信する必要があるアップリンク制御情報及び１つや２つの伝送ブロックに対応するデータ情報をそれぞれ符号化し、ターゲット長さに応じて符号化された後のシーケンスを取得し、そして変調方式に応じて、符号化された後のシーケンスから、対応する符号化変調シーケンスを構成することに用いられる符号化変調モジュールと、
取得された符号化変調シーケンスをインタリーブしてＰＵＳＣＨに対応する層で伝送することに用いられるインタリーブ伝送モジュールとを含む。
【００３４】
前記符号化変調モジュールは、更に、送信する必要があるアップリンク制御情報
【数１９２】
2014180038.tif 000197
を２つの部分即ち
【数１９３】
2014180038.tif 000198
と
【数１９４】
2014180038.tif 000199
に分け、ここで、Ｎがアップリンク制御情報のビット数を示し、且つＮ＞１１となり、前記アップリンク制御情報を送信することに必要な符号化されたシンボル数
【数１９５】
2014180038.tif 000200
【数１９６】
2014180038.tif 000201
を決定し、線形ブロック符号を用いてそれぞれ
【数１９７】
2014180038.tif 000202
と
【数１９８】
2014180038.tif 000203
を符号化し、符号化された後のターゲット長さ
【数１９９】
2014180038.tif 000204
伝送ブロックに対応する変調次数
【数２００】
2014180038.tif 000205
伝送ブロックに対応するトランスポート層の数Ｌに応じて前記アップリンク制御情報に対応する符号化変調シーケンスを取得することに用いられる。
【００３５】
前記符号化変調モジュールは、更に、送信する必要があるアップリンク制御情報
【数２０１】
2014180038.tif 000206
に必要な符号化されたシンボル数
【数２０２】
2014180038.tif 000207
を算出し、そして長さが７、符号化率が１／３のテイルバイティング畳み込み符号を用いて
【数２０３】
2014180038.tif 000208
を符号化し、又は、まず長さが８のＣＲＣ検査を行って、符号化を行い、ここで、Ｎがアップリンク制御情報のビット数を示し、且つＮ＞１１となり、
ＡＣＫ／ＮＡＣＫ応答情報とＲＩ情報について、前記伝送ブロックの伝送する時に対応するトランスポート層の数Ｌ＝１となる場合、符号化された後のターゲット長さ
【数２０４】
2014180038.tif 000209
に応じて対応する符号化された後のシーケンス
【数２０５】
2014180038.tif 000210
を取得し、対応する変調次数
【数２０６】
2014180038.tif 000211
に応じて対応する符号化変調シーケンス
【数２０７】
2014180038.tif 000212
を取得し、前記伝送ブロックの伝送する時に対応するトランスポート層の数Ｌ＝２となる場合、符号化された後のターゲット長さ
【数２０８】
2014180038.tif 000213
に応じて対応する符号化された後のシーケンス
【数２０９】
2014180038.tif 000214
を取得し、
【数２１０】
2014180038.tif 000215
を繰り返して、対応する変調次数
【数２１１】
2014180038.tif 000216
に応じて対応する符号化変調シーケンス
【数２１２】
2014180038.tif 000217
を取得し、
ＣＱＩ／  ＰＭＩ情報について、前記伝送ブロックの伝送する時に対応するトランスポート層の数Ｌ＝１となる場合、符号化された後のターゲット長さ
【数２１３】
2014180038.tif 000218
に応じて対応する符号化された後のシーケンス
【数２１４】
2014180038.tif 000219
を取得し、位置する伝送ブロックにおいてデータ情報が送信されない場合、対応する変調次数
【数２１５】
2014180038.tif 000220
に応じて対応する符号化変調シーケンス
【数２１６】
2014180038.tif 000221
を取得し、前記伝送ブロックの伝送する時に対応するトランスポート層の数Ｌ＝２となる場合、符号化された後のターゲット長さ
【数２１７】
2014180038.tif 000222
に応じて対応する符号化された後のシーケンス
【数２１８】
2014180038.tif 000223
を取得し、位置する伝送ブロックにおいてデータ情報が送信されない場合、対応する変調次数
【数２１９】
2014180038.tif 000224
に応じて対応する符号化変調シーケンス
【数２２０】
2014180038.tif 000225
を取得することに用いられる。
【００３６】
前記符号化変調モジュールは、更に、伝送する必要がある伝送ブロックに対応するデータ情報に対して、ブロック長さが２４のＣＲＣ検査、コードブロック分割とサブブロック長さが２４のＣＲＣ検査を行い、符号化率が１／３のＴｕｒｂｏ符号化を用いてチャネル符号化を行い、レートマッチングを行い、対応する帯域幅、シンボルの数、前記伝送ブロックにおけるＣＱＩ／ＰＭＩ情報のターゲット長さ、前記伝送ブロックにおける同時に伝送する必要があるＲＩ情報のターゲット長さに応じて、前記伝送ブロックのターゲット長さＧを算出して取得し、そして対応する符号化された後の情報
【数２２１】
2014180038.tif 000226
を取得し、
前記伝送ブロックにおいて、さらにＣＱＩ／ＰＭＩ情報を伝送する必要がある場合、前記伝送ブロックが符号化され後のデータ情報
【数２２２】
2014180038.tif 000227
と符号化された後のＣＱＩ／ＰＭＩ情報
【数２２３】
2014180038.tif 000228
をカスケード接続し、前記伝送ブロックの変調次数、伝送ブロックに対応するトランスポート層の数に応じて対応するデータ／制御符号化変調シーケンス
【数２２４】
2014180038.tif 000229
を構成し、ここで、
【数２２５】
2014180038.tif 000230
となり、対応するデータ／制御符号化変調シーケンスの長さが
【数２２６】
2014180038.tif 000231
であり、
前記伝送ブロックにおいてＣＱＩ／ＰＭＩ情報を伝送する必要がない場合、前記伝送ブロックの符号化された後のデータ情報
【数２２７】
2014180038.tif 000232
から、変調次数、伝送ブロックに対応するトランスポート層の数に応じて対応するデータ符号化変調シーケンス
【数２２８】
2014180038.tif 000233
を構成することに用いられ、ここで、Ｈ＝Ｇとなり、対応する制御符号化変調シーケンスの長さが
【数２２９】
2014180038.tif 000234
である。
【００３７】
本発明に係るアップリンク制御情報がＰＵＳＣＨで伝送される場合に各層での必要な符号化されたシンボル数を決定する装置は、
以下の公式により各層での必要な符号化されたシンボル数
【数２３０】
2014180038.tif 000235
を決定することに用いられ、即ち
【数２３１】
2014180038.tif 000236
の値が
【数２３２】
2014180038.tif 000237
と
【数２３３】
2014180038.tif 000238
のうちの最大値である符号化されたシンボル数決定モジュールと、
前記
【数２３４】
2014180038.tif 000239
又は
【数２３５】
2014180038.tif 000240
又は
【数２３６】
2014180038.tif 000241
を決定することに用いられ、
【数２３７】
2014180038.tif 000242
が切り上げを示し、ここで、
【数２３８】
2014180038.tif 000243
がアップリンク制御情報に対応するオフセットであり、当該値が上位層シグナリングにより設定されるパラメータ決定モジュールとを含む。
【００３８】
本発明に係るたアップリンク制御情報の伝送方法及びシステムでは、送信する必要があるアップリンク制御情報及び１つや２つの伝送ブロックに対応するデータ情報をそれぞれ符号化し、ターゲット長さに応じて符号化された後のシーケンスを取得し、そして変調方式に応じて、符号化された後のシーケンスから、対応する符号化変調シーケンスを構成し、取得された符号化変調シーケンスをインタリーブしてＰＵＳＣＨに対応する層で伝送する。
【００３９】
本発明に係るＰＵＳＣＨで伝送される場合に各層での必要な符号化されたシンボル数を決定する方法及び装置では、以下の公式により各層での必要な符号化されたシンボル数を決定し、
【数２３９】
2014180038.tif 000244
ここで
【数２４０】
2014180038.tif 000245
又は
【数２４１】
2014180038.tif 000246
又は
【数２４２】
2014180038.tif 000247
となり、ここで、
【数２４３】
2014180038.tif 000248
がアップリンク制御情報に対応するオフセットであり、当該値が上位層シグナリングにより設定される。
【００４０】
本発明によれば、高位ビットのアップリンク制御情報のＰＵＳＣＨでの伝送を実現し、且つアップリンク制御情報がＰＵＳＣＨで伝送される場合に各層での必要なリソースの数を決定することを実現した。
【図面の簡単な説明】
【００４１】
【図１】従来のＬＴＥシステムにおいてアップリンク制御情報のアップリンクデータでの多重を示す図である。
【図２】従来のＬＴＥシステムにおけるＰＵＳＣＨ伝送プロセスを示す図である。
【図３】従来の技術において長さが７、符号化率が１／３のテイルバイティング畳み込み符号を示す図である。
【図４】本発明に係るアップリンク制御情報がＰＵＳＣＨで伝送される方法のフローチャートである。
【発明を実施するための形態】
【００４２】
以下、図面及び具体的な実施形態を合わせて本発明の技術案をさらに詳細に説明する。
【００４３】
従来の技術においてアップリンク制御情報がＰＵＳＣＨで伝送される方法が１１ビットより大きいアップリンク制御情報伝送をサポートしない問題を解決するために、本発明に係るアップリンク制御情報がＰＵＳＣＨで伝送される方法は、図４に示すように、主に以下のステップを含む。
【００４４】
ステップ４０１において、送信する必要があるアップリンク制御情報及び１つや２つの伝送ブロックに対応するデータ情報をそれぞれ符号化し、ターゲット長さに応じて符号化された後のシーケンスを取得し、そして変調方式に応じて、符号化された後のシーケンスから、対応する符号化変調シーケンスを構成する。
【００４５】
ここで、アップリンク制御情報に対する処理は、以下の二種類の方式のうちの１種又は多種を含む。
【００４６】
方式１において、送信する必要があるアップリンク制御情報
【数２４４】
2014180038.tif 000249
（Ｎ＞１１）を２つの部分即ち
【数２４５】
2014180038.tif 000250
と
【数２４６】
2014180038.tif 000251
に分け、前記アップリンク制御情報を送信することに必要な符号化されたシンボル数
【数２４７】
2014180038.tif 000252
【数２４８】
2014180038.tif 000253
を算出し、線形ブロック符号を用いて
【数２４９】
2014180038.tif 000254
と
【数２５０】
2014180038.tif 000255
をそれぞれ符号化し、符号化された後のターゲット長さ
【数２５１】
2014180038.tif 000256
【数２５２】
2014180038.tif 000257
伝送ブロックに対応する変調次数
【数２５３】
2014180038.tif 000258
伝送ブロックに対応するトランスポート層の数Ｌに応じて、前記アップリンク制御情報に対応する符号化変調シーケンスを取得する。
【００４７】
更に、前記アップリンク制御情報を送信することに必要な符号化されたシンボル数を算出するステップは、以下の方式のいずれか１種であってよい。
【００４８】
１、
【数２５４】
2014180038.tif 000259
に対応するビット数
【数２５５】
2014180038.tif 000260
及び
【数２５６】
2014180038.tif 000261
に対応するビット数
【数２５７】
2014180038.tif 000262
に応じて、各層での必要な符号化されたシンボル数
【数２５８】
2014180038.tif 000263
【数２５９】
2014180038.tif 000264
を算出する。
【００４９】
２、
【数２６０】
2014180038.tif 000265
に対応するビット数Ｎが偶数である場合、Ｎに応じて必要な符号化されたシンボル数
【数２６１】
2014180038.tif 000266
を算出し、
【数２６２】
2014180038.tif 000267
に対応するビット数Ｎが奇数である場合、Ｎ＋１に応じて必要な符号化されたシンボル数
【数２６３】
2014180038.tif 000268
を算出し、そして
【数２６４】
2014180038.tif 000269
を送信することに各層での必要な符号化されたシンボル数
【数２６５】
2014180038.tif 000270
【数２６６】
2014180038.tif 000271
を送信することに必要な符号化されたシンボル数
【数２６７】
2014180038.tif 000272
更に、符号化された後のターゲット長さ
【数２６８】
2014180038.tif 000273
【数２６９】
2014180038.tif 000274
伝送ブロックに対応する変調次数
【数２７０】
2014180038.tif 000275
【００５０】
伝送ブロックに対応するトランスポート層の数Ｌに応じて、前記アップリンク制御情報に対応する符号化変調シーケンスを取得するステップは、以下の方式のいずれか１種であってよい。
【００５１】
１、符号化された後のターゲット長さ
【数２７１】
2014180038.tif 000276
【数２７２】
2014180038.tif 000277
に応じて、
【数２７３】
2014180038.tif 000278
と
【数２７４】
2014180038.tif 000279
にそれぞれ対応する符号化された後のシーケンス
【数２７５】
2014180038.tif 000280
と
【数２７６】
2014180038.tif 000281
を取得し、当該伝送ブロックが伝送される場合に対応するトランスポート層の数Ｌ＝１となる場合、
【数２７７】
2014180038.tif 000282
と
【数２７８】
2014180038.tif 000283
をカスケード接続して
【数２７９】
2014180038.tif 000284
を取得し、そして変調次数
【数２８０】
2014180038.tif 000285
によって符号化変調シーケンス
【数２８１】
2014180038.tif 000286
を構成し、当該伝送ブロックが伝送される場合に対応するトランスポート層の数Ｌ＝２となる場合、
【数２８２】
2014180038.tif 000287
と
【数２８３】
2014180038.tif 000288
をカスケード接続して
【数２８４】
2014180038.tif 000289
を取得し、
【数２８５】
2014180038.tif 000290
を繰り返して、変調次数
【数２８６】
2014180038.tif 000291
に応じて符号化変調シーケンス
【数２８７】
2014180038.tif 000292
を構成する。
【００５２】
２、符号化された後のターゲット長さ
【数２８８】
2014180038.tif 000293
【数２８９】
2014180038.tif 000294
に応じて、
【数２９０】
2014180038.tif 000295
と
【数２９１】
2014180038.tif 000296
に対応する符号化された後のシーケンス
【数２９２】
2014180038.tif 000297
と
【数２９３】
2014180038.tif 000298
を取得し、変調次数
【数２９４】
2014180038.tif 000299
により対応する変調シンボルシーケンス
【数２９５】
2014180038.tif 000300
と
【数２９６】
2014180038.tif 000301
を構成し、当該伝送ブロックが伝送される場合に対応するトランスポート層の数Ｌ＝１となる場合、
【数２９７】
2014180038.tif 000302
と
【数２９８】
2014180038.tif 000303
をカスケード接続して
【数２９９】
2014180038.tif 000304
を取得し、当該伝送ブロックが伝送される場合に対応するトランスポート層の数Ｌ＝２となる場合、
【数３００】
2014180038.tif 000305
と
【数３０１】
2014180038.tif 000306
をそれぞれ繰り返してカスケード接続して
【数３０２】
2014180038.tif 000307
を取得する。
【００５３】
３、符号化された後のターゲット長さ
【数３０３】
2014180038.tif 000308
【数３０４】
2014180038.tif 000309
に応じて、
【数３０５】
2014180038.tif 000310
と
【数３０６】
2014180038.tif 000311
に対応する符号化された後のシーケンス
【数３０７】
2014180038.tif 000312
と
【数３０８】
2014180038.tif 000313
を取得し、当該伝送ブロックが伝送される場合に対応するトランスポート層の数Ｌ＝１となる場合、
【数３０９】
2014180038.tif 000314
と
【数３１０】
2014180038.tif 000315
を符号化変調シーケンス
【数３１１】
2014180038.tif 000316
を構成し、当該伝送ブロックが伝送される場合に対応するトランスポート層の数Ｌ＝２となる場合、
【数３１２】
2014180038.tif 000317
と
【数３１３】
2014180038.tif 000318
をそれぞれ繰り返して符号化変調シーケンス
【数３１４】
2014180038.tif 000319
を構成する。
【００５４】
なお、アップリンク制御情報とは、ＡＣＫ／ＮＡＣＫ応答情報、ＲＩ情報のうちの１種以上である。
【００５５】
方式２において、送信する必要があるアップリンク制御情報
【数３１５】
2014180038.tif 000320
（Ｎ＞１１）に必要な符号化されたシンボル数
【数３１６】
2014180038.tif 000321
を算出し、図３に示すような長さが７、符号化率が１／３のテイルバイティング畳み込み符号を用いて
【数３１７】
2014180038.tif 000322
を符号化し、又は、まず長さが８のＣＲＣ検査を行い、次に符号化する。ＡＣＫ／ＮＡＣＫ応答情報とＲＩ情報について、当該伝送ブロックが伝送される場合に対応するトランスポート層の数Ｌ＝１となる場合、符号化された後のターゲット長さ
【数３１８】
2014180038.tif 000323
に応じて対応する符号化された後のシーケンス
【数３１９】
2014180038.tif 000324
を取得し、対応する変調次数
【数３２０】
2014180038.tif 000325
に応じて対応する符号化変調シーケンス
【数３２１】
2014180038.tif 000326
を取得し、当該伝送ブロックが伝送される場合に対応するトランスポート層の数Ｌ＝２となる場合、符号化された後のターゲット長さ
【数３２２】
2014180038.tif 000327
に応じて対応する符号化された後のシーケンス
【数３２３】
2014180038.tif 000328
を取得し、
【数３２４】
2014180038.tif 000329
を繰り返し、対応する変調次数
【数３２５】
2014180038.tif 000330
に応じて対応する符号化変調シーケンス
【数３２６】
2014180038.tif 000331
を取得する。ＣＱＩ／ＰＭＩ情報について、当該伝送ブロックが伝送される場合に対応するトランスポート層の数Ｌ＝１となる場合、符号化された後のターゲット長さ
【数３２７】
2014180038.tif 000332
に応じて対応する符号化された後のシーケンス
【数３２８】
2014180038.tif 000333
を取得し、位置する伝送ブロックにおいてデータ情報が送信されない場合、対応する変調次数
【数３２９】
2014180038.tif 000334
に応じて対応する符号化変調シーケンス
【数３３０】
2014180038.tif 000335
を取得し、当該伝送ブロックが伝送される場合に対応するトランスポート層の数Ｌ＝２となる場合、符号化された後のターゲット長さ
【数３３１】
2014180038.tif 000336
に応じて対応する符号化された後のシーケンス
【数３３２】
2014180038.tif 000337
を取得し、位置する伝送ブロックにおいてデータ情報が送信されない場合、対応する変調次数
【数３３３】
2014180038.tif 000338
に応じて対応する符号化変調シーケンス
【数３３４】
2014180038.tif 000339
を取得する。
【００５６】
ここで、前記符号化変調シーケンスにおいて要素の長さが
【数３３５】
2014180038.tif 000340
であり、線形ブロック符号を用いて符号化を行う具体的な符号化プロセスは、
【数３３６】
2014180038.tif 000341
となり、ここで、ｉ  ＝  ０、１、２、…、Ｑ−１であり、Ｏがフィードバック情報の数量を示し、
【数３３７】
2014180038.tif 000342
が基本的なシーケンスｎにおいて番号がｉの値を示し、
【数３３８】
2014180038.tif 000343
が符号化前の情報を示し、本発明において表４に示すような
【数３３９】
2014180038.tif 000344
を例として説明するが、これに限られない。
【表４−１】
2014180038.tif 000345
【表４−２】
2014180038.tif 000346
【００５７】
１つや２つの伝送ブロックに対応するデータ情報に対する処理は、具体的には、
伝送する必要がある伝送ブロックに対応するデータ情報に対して、ブロック長さが２４のＣＲＣ検査、コードブロック分割及びサブブロック長さが２４のＣＲＣ検査を行い、符号化率が１／３のＴｕｒｂｏ符号化を用いてチャネル符号化を行い、レートマッチングを行い、対応する帯域幅、シンボルの数、前記伝送ブロックにおけるＣＱＩ／ＰＭＩ情報のターゲット長さ、前記伝送ブロックにおける同時に伝送する必要があるＲＩ情報のターゲット長さに応じて、前記伝送ブロックのターゲット長さＧを算出して取得し、そして対応する符号化された後の情報
【数３４０】
2014180038.tif 000347
を取得し、
当該伝送ブロックでＣＱＩ／ＰＭＩ情報を伝送する必要もあると、前記伝送ブロックの符号化された後のデータ情報
【数３４１】
2014180038.tif 000348
と符号化された後のＣＱＩ／ＰＭＩ情報
【数３４２】
2014180038.tif 000349
をカスケード接続し、前記伝送ブロックの変調次数、伝送ブロックに対応するトランスポート層の数に応じて対応するデータ／制御符号化変調シーケンス
【数３４３】
2014180038.tif 000350
を構成し、ここで、
【数３４４】
2014180038.tif 000351
【数３４５】
2014180038.tif 000352
となり、
当該伝送ブロックにおいてＣＱＩ／ＰＭＩ情報を伝送する必要がない場合、前記伝送ブロックの符号化された後のデータ情報
【数３４６】
2014180038.tif 000353
から、変調次数、伝送ブロックに対応するトランスポート層の数に応じて対応するデータ符号化変調シーケンス
【数３４７】
2014180038.tif 000354
を構成し、ここで、
【数３４８】
2014180038.tif 000355
【数３４９】
2014180038.tif 000356
となる。
【００５８】
ステップ４０２において、取得された符号化変調シーケンスをインタリーブしてＰＵＳＣＨに対応する層で伝送する。
【００５９】
なお、本発明に係るアップリンク制御情報がＰＵＳＣＨで伝送される場合に各層での必要な符号化されたシンボル数を決定する方法は、以下の公式により各層での必要な符号化されたシンボル数を決定し、
【数３５０】
2014180038.tif 000357
【００６０】
ここで、
【数３５１】
2014180038.tif 000358
の値が以下の複数の方式のうちのいずれか１つであってよく、（１）
【数３５２】
2014180038.tif 000359
【００６１】
（２）
【数３５３】
2014180038.tif 000360
【００６２】
（３）
【数３５４】
2014180038.tif 000361
【００６３】
更に、αの値が以下の方式のうちのいずれか１つを用いてよい。
【００６４】
αの値が上位層により設定され、又は、
【数３５５】
2014180038.tif 000362
となり、ここで、ｐ、ｑ、ｍの値が基地局とＵＥとによって定められた正数であり、又は、
αの値が
【数３５６】
2014180038.tif 000363
の値に基づいて取得され、又は、
【数３５７】
2014180038.tif 000364
となり、又は、
【数３５８】
2014180038.tif 000365
となり、ここで、ｃの値が上位層により設定され又は基地局とＵＥとによって定められた正数であり、
【数３５９】
2014180038.tif 000366
の値が基地局とＵＥに定められた、０ではない正数又は伝送ブロックに対応する変調次数である。
【００６５】
更に、伝送ブロックが１つだけである場合、
【数３６０】
2014180038.tif 000367
の値が当該伝送ブロックに対応する変調次数であり、伝送ブロックが２つである場合、
【数３６１】
2014180038.tif 000368
の値が２つの伝送ブロックに対応する変調次数のうちの最小値又は２つの伝送ブロック変調次数の平均値である。
【００６６】
更に、
【数３６２】
2014180038.tif 000369
となり、又は、
【数３６３】
2014180038.tif 000370
となり、又は、
【数３６４】
2014180038.tif 000371
となり、又は、
【数３６５】
2014180038.tif 000372
となる。
【００６７】
ここで、
【数３６６】
2014180038.tif 000373
が、単一ダウンリンクセルのランクが１である場合、ＣＲＣ検査後のＣＱＩ／ＰＭＩ情報ビット数を示す。
【数３６７】
2014180038.tif 000374
が送信待ちのアップリンク制御情報のビット数を示し、
【数３６８】
2014180038.tif 000375
が初期ＰＵＳＣＨ伝送においてＤＭＲＳとＳＲＳとを除く他に用いられるシンボルの数を示し、
【数３６９】
2014180038.tif 000376
が初期ＰＵＳＣＨ伝送時の帯域幅を示し、副搬送波の数で示され、
【数３７０】
2014180038.tif 000377
が、現在のサブフレームのＰＵＳＣＨ伝送に用いられる帯域幅を示し、搬送波の数で示され、
【数３７１】
2014180038.tif 000378
が、ＣＲＣとコードブロック分割を行った後の伝送ブロックｉに対応するコードブロックの数を示し、
【数３７２】
2014180038.tif 000379
が伝送ブロックｉのコードブロックごとに対応するビット数を示し、ｉの値が１又は２であり、
【数３７３】
2014180038.tif 000380
が
【数３７４】
2014180038.tif 000381
又は
【数３７５】
2014180038.tif 000382
を示し、当該値が上位層により設定される。
【００６８】
更に、前記アップリンク制御情報とはＡＣＫ／ＮＡＣＫ応答情報、ＲＩ情報のうちの１種以上である。上記アップリンク制御情報がＰＵＳＣＨで伝送される場合に各層での必要な符号化されたシンボル数を決定する方法は、上記アップリンク制御情報のビット数が２より大きい場合に適用し、アップリンク制御情報のビット数を限定しない場合にも適用する。
【００６９】
以下、具体的な実施形態を合わせて本発明に係るアップリンク制御情報の伝送方法を更に説明する。
【００７０】
本発明の実施形態１では、仮に１つの伝送ブロックが設定され、且つ当該伝送ブロックでデータが伝送されるとすると、当該伝送ブロックが伝送時に１つのトランスポート層に対応し、現在のサブフレームで伝送される必要があるアップリンク制御情報が
【数３７６】
2014180038.tif 000383
であり、現在のサブフレームが従来のサイクリックプレフィックスであり、仮想マトリックスにおける列に０から番号を付け、送信する必要があるＳＲＳがない。アップリンク制御情報の伝送方法は、主に以下のステップを含む。
【００７１】
ステップ１において、ＡＣＫ／ＮＡＣＫ応答情報
【数３７７】
2014180038.tif 000384
を２つの部分即ち
【数３７８】
2014180038.tif 000385
と
【数３７９】
2014180038.tif 000386
に分け、前記アップリンク制御情報を送信することに必要な符号化されたシンボル数
【数３８０】
2014180038.tif 000387
【数３８１】
2014180038.tif 000388
を算出し、線形ブロック符号を用いて
【数３８２】
2014180038.tif 000389
と
【数３８３】
2014180038.tif 000390
をそれぞれ符号化し、符号化された後のターゲット長さの数
【数３８４】
2014180038.tif 000391
【数３８５】
2014180038.tif 000392
に応じて、
【数３８６】
2014180038.tif 000393
と
【数３８７】
2014180038.tif 000394
に対応する符号化された後のシーケンス
【数３８８】
2014180038.tif 000395
と
【数３８９】
2014180038.tif 000396
を取得し、そして
【数３９０】
2014180038.tif 000397
と
【数３９１】
2014180038.tif 000398
をカスケード接続して
【数３９２】
2014180038.tif 000399
を取得し、そして変調次数に応じて符号化変調シーケンス
【数３９３】
2014180038.tif 000400
を構成する。
【００７２】
伝送ブロックに対応するデータ情報を符号化し、ターゲット長さＧに応じて、符号化された後の伝送ブロックのビットシーケンス
【数３９４】
2014180038.tif 000401
を取得した場合、伝送ブロックに対応する符号化変調シーケンスが
【数３９５】
2014180038.tif 000402
である。
【００７３】
ステップ２において、取得したＡＣＫ／ＮＡＣＫ応答情報に対応する符号化変調シーケンス
【数３９６】
2014180038.tif 000403
と伝送ブロックに対応する符号化変調シーケンス
【数３９７】
2014180038.tif 000404
をインタリーブしてＰＵＳＣＨに対応する層で伝送する。
【００７４】
本発明の実施形態２では、仮に１つの伝送ブロックが設定され、且つ当該伝送ブロックでデータが伝送されるとすると、当該伝送ブロックが伝送される場合に２つのトランスポート層に対応し、伝送時に対応する変調次数
【数３９８】
2014180038.tif 000405
となり、現在サブフレームで伝送される必要があるアップリンク制御情報が
【数３９９】
2014180038.tif 000406
であり、現在のサブフレームが従来のサイクリックプレフィックスであり、仮想マトリックスにおける列に０から番号を付け、送信する必要があるＳＲＳがない。アップリンク制御情報の伝送方法は、主に以下のステップを含む。
【００７５】
ステップ１において、ＡＣＫ／ＮＡＣＫ応答情報
【数４００】
2014180038.tif 000407
を２つの部分即ち
【数４０１】
2014180038.tif 000408
と
【数４０２】
2014180038.tif 000409
に分け、前記アップリンク制御情報を送信することに必要な符号化されたシンボル数
【数４０３】
2014180038.tif 000410
【数４０４】
2014180038.tif 000411
を算出し、線形ブロック符号を用いて
【数４０５】
2014180038.tif 000412
と
【数４０６】
2014180038.tif 000413
をそれぞれ符号化し、符号化された後のターゲット長さ
【数４０７】
2014180038.tif 000414
【数４０８】
2014180038.tif 000415
【００７６】
に応じて、
【数４０９】
2014180038.tif 000416
と
【数４１０】
2014180038.tif 000417
に対応する符号化された後のシーケンス
【数４１１】
2014180038.tif 000418
と
【数４１２】
2014180038.tif 000419
を取得し、
【数４１３】
2014180038.tif 000420
と
【数４１４】
2014180038.tif 000421
をカスケード接続して
【数４１５】
2014180038.tif 000422
を取得し、
【数４１６】
2014180038.tif 000423
を繰り返し、そして変調次数に応じて符号化変調シーケンス
【数４１７】
2014180038.tif 000424
を構成し、ここで、
【数４１８】
2014180038.tif 000425
となり、ここで、
【数４１９】
2014180038.tif 000426
【数４２０−１】
2014180038.tif 000427
となる。
【００７７】
伝送ブロックに対応するデータ情報を符号化し、ターゲット長さ
【数４２０−２】
2014180038.tif 000428
に応じて、符号化された後の伝送ブロックのビットシーケンス
【数４２１】
2014180038.tif 000429
を取得した場合、伝送ブロックに対応する符号化変調シーケンスが
【数４２２】
2014180038.tif 000430
である。
【００７８】
又は、ステップ１は、以下の方式を用いてもよい。
【００７９】
ＡＣＫ／ＮＡＣＫ応答情報
【数４２３】
2014180038.tif 000431
を２つの部分即ち
【数４２４】
2014180038.tif 000432
と
【数４２５】
2014180038.tif 000433
に分け、前記アップリンク制御情報を送信することに必要な符号化されたシンボル数
【数４２６】
2014180038.tif 000434
【数４２７】
2014180038.tif 000435
を算出し、線形ブロック符号を用いて
【数４２８】
2014180038.tif 000436
と
【数４２９】
2014180038.tif 000437
をそれぞれ符号化し、符号化された後のターゲット長さ
【数４３０】
2014180038.tif 000438
【数４３１】
2014180038.tif 000439
に応じて、
【数４３２】
2014180038.tif 000440
と
【数４３３】
2014180038.tif 000441
に対応する符号化された後のシーケンス
【数４３４】
2014180038.tif 000442
と
【数４３５】
2014180038.tif 000443
を取得し、変調次数に応じて対応する変調シンボルシーケンス
【数４３６】
2014180038.tif 000444
と
【数４３７】
2014180038.tif 000445
を構成し、
【数４３８】
2014180038.tif 000446
と
【数４３９】
2014180038.tif 000447
をそれぞれ繰り返し、そして符号化変調シーケンス
【数４４０】
2014180038.tif 000448
を構成し、ここで、
【数４４１】
2014180038.tif 000449
となり、ここで、
【数４４２】
2014180038.tif 000450
【数４４３】
2014180038.tif 000451
となる。
伝送ブロックに対応するデータ情報を符号化し、ターゲット長さＧに応じて、符号化された後の伝送ブロックのビットシーケンス
【数４４４】
2014180038.tif 000452
を取得した場合、伝送ブロックに対応する符号化変調シーケンスが
【数４４５】
2014180038.tif 000453
である。
【００８０】
ステップ２において、取得したＡＣＫ／ＮＡＣＫ応答情報に対応する符号化変調シーケンス
【数４４６】
2014180038.tif 000454
と伝送ブロックに対応する符号化変調シーケンス
【数４４７】
2014180038.tif 000455
をインタリーブしてＰＵＳＣＨに対応する層で伝送する。
【００８１】
本発明の実施形態３では、仮に２つの伝送ブロック
【数４４８】
2014180038.tif 000456
が設定され、且つ２つの伝送ブロックでデータが伝送されるとすると、当該伝送ブロックが伝送される場合に２つのトランスポート層に対応し、ＵＥがアップリンク指示に応じて基地局よりＰＵＳＣＨ伝送のために割り当てられた帯域幅が１つのＲＢと２つの伝送ブロックである変調シンボルインデックス
【数４４９】
2014180038.tif 000457
を取得し、ＵＥが
【数４５０】
2014180038.tif 000458
とＲＢの数に応じて対応する大きさ１２０、２２４のＴＢを取得でき、変調次数がそれぞれ
【数４５１】
2014180038.tif 000459
であり、このようにして、伝送ブロックに対してそれぞれ２４ビットのＣＲＣを付加し、且つコードブロック分割を経てた後、各伝送ブロックのコードブロックの数がそれぞれ
【数４５２】
2014180038.tif 000460
であり、コードブロックの大きさがそれぞれ
【数４５３】
2014180038.tif 000461
であり、設定された
【数４５４】
2014180038.tif 000462
と
【数４５５】
2014180038.tif 000463
は共に２となり、
【数４５６−１】
2014180038.tif 000464
は
【数４５６−２】
2014180038.tif 000465
となり、上位層により設定されたα値が
【数４５７】
2014180038.tif 000466
から選択されたものであり、ここで、
【数４５８】
2014180038.tif 000467
となり、当然、上位層により設定された他の値を除外しなく、仮に現在の基地局により設定された
【数４５９】
2014180038.tif 000468
であると、
【数４６０】
2014180038.tif 000469
は１６となり、伝送する必要があるアップリンク制御情報が
【数４６１】
2014180038.tif 000470
であり、現在のサブフレームが従来のサイクリックプレフィックスであり、仮想マトリックスにおける列に０から番号を付け、送信する必要があるＳＲＳがなく、ＡＣＫ／ＮＡＣＫ応答情報がＰＵＳＣＨで伝送される場合に各層での必要な符号化されたシンボル数を算出する公式は、
【数４６２−１】
2014180038.tif 000471
となる。
【００８２】
本発明の実施形態４では、仮に２つの伝送ブロック
【数４６２−２】
2014180038.tif 000472
が設定され、且つ２つの伝送ブロックでデータが伝送されるとすると、当該伝送ブロックが伝送される場合に２つのトランスポート層に対応し、ＵＥがアップリンク指示に応じて基地局よりＰＵＳＣＨ伝送のために割り当てられた帯域幅が１つのＲＢ及び２つの伝送ブロックである変調シンボルインデックス
【数４６３】
2014180038.tif 000473
を取得し、ＵＥが
【数４６４】
2014180038.tif 000474
とＲＢの数に応じて対応する大きさ１２０、２２４のＴＢを取得でき、変調次数がそれぞれ
【数４６５】
2014180038.tif 000475
であり、このようにして、伝送ブロックに対してそれぞれ２４ビットのＣＲＣを付加し、そしてコードブロック分割を経てた後、各伝送ブロックのコードブロックの数がそれぞれ
【数４６６】
2014180038.tif 000476
であり、コードブロックの大きさがそれぞれ
【数４６７】
2014180038.tif 000477
であり、設定された
【数４６８】
2014180038.tif 000478
と
【数４６９】
2014180038.tif 000479
は共に２となり、
【数４７０】
2014180038.tif 000480
は
【数４７１】
2014180038.tif 000481
となり、ここで、
【数４７２】
2014180038.tif 000482
となり、ＵＥと基地局に定められたｍ＝４、ｐ＝１、ｑ＝２０となり、これは
【数４７３】
2014180038.tif 000483
＝２がｍ＝４より小さいからであり、このため、α＝２０となり、これで
【数４７４】
2014180038.tif 000484
＝２０となり、伝送する必要があるアップリンク制御情報が
【数４７５】
2014180038.tif 000485
であり、現在のサブフレームが従来のサイクリックプレフィックスであり、仮にマトリックスの列が０から番号を付け、送信する必要があるＳＲＳがなく、ＡＣＫ／ＮＡＣＫ応答情報がＰＵＳＣＨで伝送される場合に各層での必要な符号化されたシンボル数を算出する公式は、
【数４７６】
2014180038.tif 000486
となる。
【００８３】
本発明の実施形態５では、仮に２つの伝送ブロック
【数４７７】
2014180038.tif 000487
が設定され、且つ２つの伝送ブロックでデータが伝送されると、当該伝送ブロックが伝送される場合に２つのトランスポート層に対応し、ＵＥがアップリンク指示に応じて基地局よりＰＵＳＣＨ伝送のために割り当てられた帯域幅が１つのＲＢ及び２つの伝送ブロックである変調シンボルインデックス
【数４７８】
2014180038.tif 000488
を取得し、ＵＥが
【数４７９】
2014180038.tif 000489
とＲＢの数に応じて対応する大きさ１２０、２２４のＴＢを取得でき、変調次数がそれぞれ
【数４８０】
2014180038.tif 000490
であり、このようにして、伝送ブロックに対してそれぞれ２４ビットのＣＲＣを付加し、且つコードブロック分割を経てた後、各伝送ブロックのコードブロックの数がそれぞれ
【数４８１】
2014180038.tif 000491
であり、コードブロックの大きさがそれぞれ
【数４８２】
2014180038.tif 000492
であり、設定された
【数４８３】
2014180038.tif 000493
と
【数４８４】
2014180038.tif 000494
は共に２となり、設定された
【数４８５】
2014180038.tif 000495
となり、且つαの値が
【数４８６】
2014180038.tif 000496
により取得され、αと
【数４８７】
2014180038.tif 000497
の値が表５に示すようなものであり、本発明において表５を例とし、当然、他のαと
【数４８８】
2014180038.tif 000498
の値を除外しない。
【表５】
2014180038.tif 000499
【００８４】
伝送する必要があるアップリンク制御情報が
【数４８９】
2014180038.tif 000500
であり、現在のサブフレームが従来のサイクリックプレフィックスであり、仮想マトリックスにおける列に０から番号を付け、送信する必要があるＳＲＳがなく、ＡＣＫ／ＮＡＣＫ応答情報がＰＵＳＣＨで伝送される場合に各層での必要な符号化されたシンボル数を算出する公式は、
【数４９０】
2014180038.tif 000501
となる。
【００８５】
本発明の実施形態６では、仮に２つの伝送ブロック
【数４９１】
2014180038.tif 000502
が設定され、且つ２つの伝送ブロックでデータが伝送されるとすると、当該伝送ブロックが伝送される場合に２つのトランスポート層に対応し、ＵＥがアップリンク指示に応じて基地局よりＰＵＳＣＨ伝送のために割り当てられた帯域幅が１つのＲＢ及び２つの伝送ブロックである変調シンボルインデックス
【数４９２】
2014180038.tif 000503
を取得し、ＵＥが
【数４９３】
2014180038.tif 000504
とＲＢの数に応じて対応する大きさ１２０、２２４のＴＢを取得でき、変調次数がそれぞれ
【数４９４】
2014180038.tif 000505
であり、このようにして、伝送ブロックに対してそれぞれ２４ビットのＣＲＣを付加し、且つコードブロック分割を経てた後、各伝送ブロックのコードブロックの数がそれぞれ
【数４９５】
2014180038.tif 000506
であり、コードブロックの大きさがそれぞれ
【数４９６】
2014180038.tif 000507
であり、設定された
【数４９７】
2014180038.tif 000508
と
【数４９８】
2014180038.tif 000509
は共に２となり、
【数４９９】
2014180038.tif 000510
が
【数５００】
2014180038.tif 000511
となり、ここで、上位層によりα＝３を設定し、伝送する必要があるアップリンク制御情報が
【数５０１】
2014180038.tif 000512
であり、現在のサブフレームが従来のサイクリックプレフィックスであり、仮想マトリックスにおける列に０から番号を付け、送信する必要があるＳＲＳがなく、ＡＣＫ／ＮＡＣＫ応答情報がＰＵＳＣＨで伝送される場合に各層での必要な符号化されたシンボル数を算出する公式は、
【数５０２】
2014180038.tif 000513
となる。
【００８６】
本発明の実施形態７では、仮に２つの伝送ブロック
【数５０３】
2014180038.tif 000514
が設定され、且つ２つの伝送ブロックでデータが伝送されるとすると、当該伝送ブロックが伝送される場合に２つのトランスポート層に対応し、ＵＥがアップリンク指示に応じて基地局よりＰＵＳＣＨ伝送のために割り当てられた帯域幅が１つのＲＢ及び２つの伝送ブロックである変調シンボルインデックス
【数５０４】
2014180038.tif 000515
を取得し、ＵＥが
【数５０５】
2014180038.tif 000516
とＲＢの数に応じて対応する大きさ１２０、２２４のＴＢを取得でき、変調次数がそれぞれ
【数５０６】
2014180038.tif 000517
であり、このようにして、伝送ブロックに対してそれぞれ２４ビットのＣＲＣを付加し、且つコードブロック分割を経てた後、各伝送ブロックのコードブロックの数がそれぞれ
【数５０７】
2014180038.tif 000518
であり、コードブロックの大きさがそれぞれ
【数５０８】
2014180038.tif 000519
であり、設定された
【数５０９】
2014180038.tif 000520
と
【数５１０】
2014180038.tif 000521
は共に２となり、
【数５１１】
2014180038.tif 000522
は
【数５１２】
2014180038.tif 000523
となり、ここで、
【数５１３】
2014180038.tif 000524
となり、伝送する必要があるアップリンク制御情報が
【数５１４】
2014180038.tif 000525
であり、現在のサブフレームが従来のサイクリックプレフィックスであり、仮想マトリックスにおける列に０ｋら番号を付け、送信する必要があるＳＲＳがなく、ＡＣＫ／ＮＡＣＫ応答情報がＰＵＳＣＨで伝送される場合に各層での必要な符号化されたシンボル数を算出する公式は、
【数５１５】
2014180038.tif 000526
となる。
【００８７】
本発明の実施形態８では、仮に２つの伝送ブロック
【数５１６】
2014180038.tif 000527
が設定され、且つ２つの伝送ブロックでデータが伝送されるとすると、当該伝送ブロックが伝送される場合に２つのトランスポート層に対応し、ＵＥがアップリンク指示に応じて基地局よりＰＵＳＣＨ伝送に割り当てられた帯域幅が１つのＲＢ及び２つの伝送ブロックである変調シンボルインデックス
【数５１７】
2014180038.tif 000528
を取得し、ＵＥが
【数５１８】
2014180038.tif 000529
とＲＢの数に応じて対応するＴＢ大きさ１２０、２２４のＴＢを取得でき、変調次数がそれぞれ
【数５１９】
2014180038.tif 000530
であり、このようにして、伝送ブロックに対してそれぞれ２４ビットのＣＲＣを付加し、且つコードブロック分割を経てた後、各伝送ブロックのコードブロックの数がそれぞれ
【数５２０】
2014180038.tif 000531
であり、コードブロックの大きさがそれぞれ
【数５２１】
2014180038.tif 000532
であり、設定された
【数５２２】
2014180038.tif 000533
と
【数５２３】
2014180038.tif 000534
は共に２となり、
【数５２４】
2014180038.tif 000535
は
【数５２５】
2014180038.tif 000536
となり、ここで、
【数５２６】
2014180038.tif 000537
となり、基地局とＵＥに定められたｃ＝３となり、
【数５２７】
2014180038.tif 000538
が２つの伝送ブロック変調シンボル次数の最小値であり、即ち
【数５２８】
2014180038.tif 000539
が２となり、伝送する必要があるアップリンク制御情報が
【数５２９】
2014180038.tif 000540
であり、現在のサブフレームが従来のサイクリックプレフィックスであり、仮想マトリックスにおける列に０から番号を付け、送信する必要があるＳＲＳがなく、ＡＣＫ／ＮＡＣＫ応答情報がＰＵＳＣＨで伝送される場合に各層での必要な符号化されたシンボル数を算出する公式は、
【数５３０】
2014180038.tif 000541
となる。
【００８８】
上記アップリンク制御情報の伝送方法に対応して、本発明に係るアップリンク制御情報の伝送システムは、符号化変調モジュール及びインタリーブ伝送モジュールを含む。ここで、符号化変調モジュールは、送信する必要があるアップリンク制御情報及び１つや２つの伝送ブロックに対応するデータ情報をそれぞれ符号化し、ターゲット長さに応じて符号化された後のシーケンスを取得し、そして変調方式に応じて、符号化された後のシーケンスから、対応する符号化変調シーケンスを構成することに用いられる。インタリーブ伝送モジュールは、取得された符号化変調シーケンスをインタリーブしてＰＵＳＣＨに対応する層で伝送することに用いられる。
【００８９】
ここで、符号化変調モジュールのアップリンク制御情報に対する処理は、以下の二種類の方式のうちの１種又は多種を含む。
【００９０】
方式１において、送信する必要があるアップリンク制御情報
【数５３１】
2014180038.tif 000542
（上式においてＮ＞１１）を２つの部分即ち
【数５３２】
2014180038.tif 000543
と
【数５３３】
2014180038.tif 000544
に分け、前記アップリンク制御情報を送信することに必要な符号化されたシンボル数
【数５３４】
2014180038.tif 000545
【数５３５】
2014180038.tif 000546
を算出し、線形ブロック符号を用いて
【数５３６】
2014180038.tif 000547
と
【数５３７】
2014180038.tif 000548
をそれぞれ符号化し、符号化された後のターゲット長さ
【数５３８】
2014180038.tif 000549
【数５３９】
2014180038.tif 000550
伝送ブロックに対応する変調次数
【数５４０】
2014180038.tif 000551
伝送ブロックに対応するトランスポート層の数Ｌに応じて前記アップリンク制御情報に対応する符号化変調シーケンスを取得する。
【００９１】
更に、前記アップリンク制御情報を送信することに必要な符号化されたシンボル数を算出するステップは、以下の方式のうちのいずれか１種であってよい。
【００９２】
１、
【数５４１】
2014180038.tif 000552
に対応するビット数
【数５４２】
2014180038.tif 000553
及び
【数５４３】
2014180038.tif 000554
に対応するビット数
【数５４４】
2014180038.tif 000555
に応じて、各層での必要な符号化されたシンボル数
【数５４５】
2014180038.tif 000556
【数５４６】
2014180038.tif 000557
を算出する。
【００９３】
２、
【数５４７】
2014180038.tif 000558
に対応するビット数Ｎが偶数である場合、Ｎに応じて必要な符号化されたシンボル数
【数５４８】
2014180038.tif 000559
を算出し、
【数５４９】
2014180038.tif 000560
に対応するビット数Ｎが奇数である場合、Ｎ＋１に応じて必要な符号化されたシンボル数
【数５５０】
2014180038.tif 000561
を算出し、そして
【数５５１】
2014180038.tif 000562
の各層での必要な符号化されたシンボル数
【数５５２】
2014180038.tif 000563
を送信し、
【数５５３】
2014180038.tif 000564
に必要な符号化されたシンボル数
【数５５４】
2014180038.tif 000565
を送信する。
【００９４】
更に、符号化された後のターゲット長さ
【数５５５】
2014180038.tif 000566
【数５５６】
2014180038.tif 000567
送ブロックに対応する変調次数
【数５５７】
2014180038.tif 000568
伝送ブロックに対応するトランスポート層の数Ｌに応じて、前記アップリンク制御情報に対応する符号化変調シーケンスを取得するステップは、以下の方式のいずれか１種であってよい。
【００９５】
１、符号化された後のターゲット長さ
【数５５８】
2014180038.tif 000569
【数５５９】
2014180038.tif 000570
に応じて、
【数５６０】
2014180038.tif 000571
と
【数５６１】
2014180038.tif 000572
にそれぞれ対応する符号化された後のシーケンス
【数５６２】
2014180038.tif 000573
と
【数５６３】
2014180038.tif 000574
を取得し、当該伝送ブロックが伝送される場合に対応するトランスポート層の数Ｌ＝１となる場合、
【数５６４】
2014180038.tif 000575
と
【数５６５】
2014180038.tif 000576
をカスケード接続して
【数５６６】
2014180038.tif 000577
を取得し、そして変調次数
【数５６７】
2014180038.tif 000578
に応じて符号化変調シーケンス
【数５６８】
2014180038.tif 000579
を構成し、当該伝送ブロックが伝送される場合に対応するトランスポート層の数Ｌ＝２となる場合、
【数５６９】
2014180038.tif 000580
と
【数５７０】
2014180038.tif 000581
をカスケード接続して
【数５７１】
2014180038.tif 000582
を取得し、
【数５７２】
2014180038.tif 000583
を繰り返し、変調次数
【数５７３】
2014180038.tif 000584
に応じて符号化変調シーケンス
【数５７４】
2014180038.tif 000585
を構成する。
【００９６】
２、符号化された後のターゲット長さ
【数５７５】
2014180038.tif 000586
【数５７６】
2014180038.tif 000587
に応じて、
【数５７７】
2014180038.tif 000588
と
【数５７８】
2014180038.tif 000589
に対応する符号化された後のシーケンス
【数５７９】
2014180038.tif 000590
と
【数５８０】
2014180038.tif 000591
を取得し、変調次数
【数５８１】
2014180038.tif 000592
に応じて対応する変調シンボルシーケンス
【数５８２】
2014180038.tif 000593
と
【数５８３】
2014180038.tif 000594
を構成し、当該伝送ブロックが伝送される場合に対応するトランスポート層の数Ｌ＝１となる場合、
【数５８４】
2014180038.tif 000595
と
【数５８５】
2014180038.tif 000596
をカスケード接続して
【数５８６】
2014180038.tif 000597
を取得し、当該伝送ブロックが伝送される場合に対応するトランスポート層の数Ｌ＝２となる場合、
【数５８７】
2014180038.tif 000598
と
【数５８８】
2014180038.tif 000599
をそれぞれ繰り返してカスケード接続して
【数５８９】
2014180038.tif 000600
を取得する。
【００９７】
３、符号化された後のターゲット長さ
【数５９０】
2014180038.tif 000601
【数５９１】
2014180038.tif 000602
に応じて、
【数５９２】
2014180038.tif 000603
と
【数５９３】
2014180038.tif 000604
に対応する符号化された後のシーケンス
【数５９４】
2014180038.tif 000605
と
【数５９５】
2014180038.tif 000606
を取得し、当該伝送ブロックが伝送される場合に対応するトランスポート層の数Ｌ＝１となる場合、
【数５９６】
2014180038.tif 000607
と
【数５９７】
2014180038.tif 000608
を符号化変調シーケンス
【数５９８】
2014180038.tif 000609
を構成し、当該伝送ブロックが伝送される場合に対応するトランスポート層の数Ｌ＝２となる場合、
【数５９９】
2014180038.tif 000610
と
【数６００】
2014180038.tif 000611
をそれぞれ繰り返して符号化変調シーケンス
【数６０１】
2014180038.tif 000612
を構成する。
【００９８】
なお、アップリンク制御情報とは、ＡＣＫ／ＮＡＣＫ応答情報、ＲＩ情報のうちの１種以上である。
【００９９】
方式２において、送信する必要があるアップリンク制御情報
【数６０２】
2014180038.tif 000613
（上式においてＮ＞１１）に必要な符号化されたシンボル数
【数６０３】
2014180038.tif 000614
を算出し、図３に示すような長さが７、符号化率が１／３のテイルバイティング畳み込み符号を用いて
【数６０４】
2014180038.tif 000615
を符号化し、又は、まず長さが８のＣＲＣ検査を行い、次に符号化する。ＡＣＫ／ＮＡＣＫ応答情報とＲＩ情報について、当該伝送ブロックが伝送される場合に対応するトランスポート層の数Ｌ＝１となる場合、符号化された後のターゲット長さ
【数６０５】
2014180038.tif 000616
に応じて対応する符号化された後のシーケンス
【数６０６】
2014180038.tif 000617
を取得し、対応する変調次数
【数６０７】
2014180038.tif 000618
に応じて対応する符号化変調シーケンス
【数６０８】
2014180038.tif 000619
を取得し、当該伝送ブロックが伝送される場合に対応するトランスポート層の数Ｌ＝２となる場合、符号化された後のターゲット長さ
【数６０９】
2014180038.tif 000620
に応じて対応する符号化された後のシーケンス
【数６１０】
2014180038.tif 000621
を取得し、
【数６１１】
2014180038.tif 000622
を繰り返し、対応する変調次数
【数６１２】
2014180038.tif 000623
に応じて対応する符号化変調シーケンス
【数６１３】
2014180038.tif 000624
を取得する。ＣＱＩ／ＰＭＩ情報について、当該伝送ブロックが伝送される場合に対応するトランスポート層の数Ｌ＝１となる場合、符号化された後のターゲット長さ
【数６１４】
2014180038.tif 000625
に応じて対応する符号化された後のシーケンス
【数６１５】
2014180038.tif 000626
を取得し、位置する伝送ブロックにおいてデータ情報が送信されない場合、対応する変調次数
【数６１６】
2014180038.tif 000627
に応じて対応する符号化変調シーケンス
【数６１７】
2014180038.tif 000628
を取得し、当該伝送ブロックが伝送される場合に対応するトランスポート層の数Ｌ＝２となる場合、符号化された後のターゲット長さ
【数６１８】
2014180038.tif 000629
に応じて対応する符号化された後のシーケンス
【数６１９】
2014180038.tif 000630
を取得し、位置する伝送ブロックにおいてデータ情報が送信されない場合、対応する変調次数
【数６２０】
2014180038.tif 000631
に応じて対応する符号化変調シーケンス
【数６２１】
2014180038.tif 000632
を取得する。
【０１００】
１つや２つの伝送ブロックに対応するデータ情報に対する処理は、具体的には、
伝送する必要がある伝送ブロックに対応するデータ情報に対して、ブロック長さが２４のＣＲＣ検査、コードブロック分割及びサブブロック長さが２４のＣＲＣ検査を行い、符号化率が１／３のＴｕｒｂｏ符号化を用いてチャネル符号化を行い、レートマッチングを行い、対応する帯域幅、シンボルの数、前記伝送ブロックにおけるＣＱＩ／ＰＭＩ情報のターゲット長さ、前記伝送ブロックにおける同時に伝送する必要があるＲＩ情報のターゲット長さに応じて、前記伝送ブロックのターゲット長さＧを算出して取得し、そして対応する符号化された後の情報
【数６２２】
2014180038.tif 000633
を取得する。
【０１０１】
当該伝送ブロックでＣＱＩ／ＰＭＩ情報を伝送する必要もあると、前記伝送ブロックの符号化された後のデータ情報
【数６２３】
2014180038.tif 000634
と符号化された後のＣＱＩ／ＰＭＩ情報
【数６２４】
2014180038.tif 000635
をカスケード接続して、前記伝送ブロックの変調次数、伝送ブロックに対応するトランスポート層の数に応じて対応するデータ／制御符号化変調シーケンス
【数６２５】
2014180038.tif 000636
を構成し、ここで、
【数６２６】
2014180038.tif 000637
【数６２７】
2014180038.tif 000638
となる。
【０１０２】
当該伝送ブロックにおいてＣＱＩ／ＰＭＩ情報を伝送する必要がない場合、前記伝送ブロックの符号化された後のデータ情報
【数６２８】
2014180038.tif 000639
から、変調次数、伝送ブロックに対応するトランスポート層の数に応じて対応するデータ符号化変調シーケンス
【数６２９】
2014180038.tif 000640
を構成し、ここで、
【数６３０】
2014180038.tif 000641
【数６３１】
2014180038.tif 000642
となる。
【０１０３】
上記アップリンク制御情報がＰＵＳＣＨで伝送される場合に各層での必要な符号化されたシンボル数を決定する方法に対応し、本発明に係るアップリンク制御情報がＰＵＳＣＨで伝送される場合に各層での必要な符号化されたシンボル数を決定する装置は、符号化されたシンボル数決定モジュール及びパラメータ決定モジュールを含む。ここで、符号化されたシンボル数決定モジュールは、以下の公式により各層での必要な符号化されたシンボル数を決定することに用いられる。
【数６３２】
2014180038.tif 000643
となり、即ち
【数６３３】
2014180038.tif 000644
の値が
【数６３４】
2014180038.tif 000645
と
【数６３５】
2014180038.tif 000646
のうちの最大値である。パラメータ決定モジュールは、前記
【数６３６】
2014180038.tif 000647
又は
【数６３７】
2014180038.tif 000648
又は
【数６３８】
2014180038.tif 000649
を決定することに用いられる。
【数６３９】
2014180038.tif 000650
が切り上げを示し、ここで、
【数６４０】
2014180038.tif 000651
がアップリンク制御情報に対応するオフセットであり、当該値が上位層シグナリングにより設定される。
【０１０４】
以上の説明は、本発明の好適な実施形態に過ぎず、本発明を限定するものではない。
【図１】
2014180038.tif 000692
【図２】
2014180038.tif 000693
【図３】
2014180038.tif 000694
【図４】
2014180038.tif 000695